(57)【要約】      （修正有）【課題】天然ゴムマットレスの優れた体圧分散とフュージョンのもつ優れた通気性と優れたクッション性を合わせて四季を通して快適に使用して頂けるボックスカバーの提供。【解決手段】天然ゴム素材のマットレスにかけるカバーであって、ボックスカバーの上面に、優れたクッション性と通気性抜群でムレにくい２枚の立体編物を二重に合わせて、体圧分散効果と耐久性を高める素材を用いたマットレスを包み込むボックス形をなすボックスカバー。【選択図】図１
0003131300.tif 000002
【実用新案登録請求の範囲】
【請求項１】
天然ゴム素材のマットレスにボックスカバーをかける。
【請求項２】
優れたクッション性と通気性抜郡でムレにくい旭化成株式会社のフュージョン製品Ｎｏ．ＡＫＥ６４４５５とフュージョン製品Ｎｏ．ＡＫＥ６４０３０を二重に合わせて体圧分散効果と耐久性を高め、従来の天然ゴム素材マットレスだけの使用時のムレを解消
【請求項３】
ボックスカバーの側面と下面に小松精練株式会社のマーバスを使いチャックで開閉部分を閉じマットをしっかりガードして、好みにより両面使用出来るようにした。
【考案の詳細な説明】
【技術分野】
【０００１】天然ゴム素材のマットレスはマットレスを防水性・透湿性のフイルムで被覆して作られておりますので、冬場の寒い時期は体圧分散と耐久性に優れているので大変重宝されますが、４月頃から１０月頃までは通気性がない為にムレがひどく利用者から見放されてきましたのでボックスカバーを作り四季を通して利用できるようにした。
【背景技術】
【０００２】天然ゴム素材のマットレスが折角良い品物でありながら使用されないので、４年前から最初は綿シーツをかけることから始まり、色々材料を変えて色々な方法で試行錯誤し模索し今のボックスカバーを完成して、ムレの解消と天然ゴム素材のマットレスの体圧分散とフュージョンの体圧分散とにより、より体圧分散の効果を高め、天然ゴム素材のマットレスが四季を通して利用されるようになりました。
【図１】
0003131300.tif 000003
【図２】
0003131300.tif 000004
【手続補正書】
【提出日】平成18年9月13日(2006.9.13)
【手続補正１】
【補正対象書類名】実用新案登録請求の範囲
【補正対象項目名】全文
【補正方法】変更
【補正の内容】
【実用新案登録請求の範囲】
【請求項１】
天然ゴム素材のマットレスは、マットレス表面を防水性・透湿性・抗菌性のある特殊フイルムで完全被覆してあるので、人間の肌とマットレスの接点に通気性がないので、ウレタンマットレやエアーマットレスに比べて体圧分散・耐久性・クッション性等に大変優れているにも拘らず暑い時期になると、ムレのために利用者から敬遠され折角の良い品物でありながら四季を通して４ヶ月から５ヶ月しか利用されておりません。
こうした天然ゴム素材の素晴らしいマットレスを四季を通して利用して貰う為に試行  錯誤を重ねた結果、天然ゴム素材のマットレスの体圧分散効果を損なわずに然もボックスカバーに旭化成のフュージョンを２枚重ねて使用することにより、カバーの体圧分散効果もあわせて素晴らしいスーパードリーム（マットレス）を製作しました。
【請求項２】
ボックスカバーの上面には、旭化成（株）のフュージョンＮｏ．ＡＫＥ６４４５５とＮｏ．ＡＫＥ６４０３０を組み合わせて使用し、側面と下面には、小松精練のマーヴァスＭＷ２４７５を使用して、マットレスを挿入する為のマットレス挿入口はチャックで開閉し、マットレスがカバーから外れないようにしました。
先ずボックスカバー上面の肌に接する面には、体の肌に優しくフィットするフュージョンＮｏ．６４４５５を使い、此のフュージョンで体から出る熱と水分を吸収し、吸収した熱と水分をもう一枚の重ね合わせた通気性・クッション性抜群で形態安定のフュージョンＮｏ．６４０３０で吸収し、吸収した熱・水分は側面の吸水性・速乾性・汚れ防止・静電気防止の小松精練のＮｏ．ＭＷ２４７５で吸収され、熱・水分を完全に外に排出して、ムレをなくして、利用者が四季を通したて快適に使用出来るスーパードリーム（マットレス）作りました。
【請求項３】
スーパードリームをより多くの人に使用して頂くために、ボックスカバーの下面は、小松精練の肌に優しく吸水性・速乾性・汚れ防止・静電気防止のＮｏ．ＭＷ２４７５を使用して、好みにより両面を使用出来る、スーパードリーム（マットレス）を作りました。
【手続補正２】
【補正対象書類名】明細書
【補正対象項目名】全文
【補正方法】変更
【補正の内容】
【考案の詳細な説明】
【技術分野】
【０００１】天然ゴム素材を特殊フイルムで被覆して作られた天然ゴムマットレスは、現在日本では未だ、マットレスを特殊フイルムで被覆した儘で売り出されており、このマットレスを使用するに当たり、天然ゴム特有のクッション性・耐久性等に優れて体圧分散が効果的にかもしだされて、床ずれ防止用・一般マットレスとして大変重宝され使用されておりますが、マットレスの表面がフイルムで被覆したままですので、この上で寝た場合、肌とマットレスが密着して通気性がないので、ムレて、暑い時期になると敬遠され、年間通して４ヶ月乃至５ヶ月程度しか利用されておりませんので、これを四季を通して快適に使用するために、被覆した天然ゴム素材のマットレスに、肌に優しく通気性・弾力性・耐久性のあるボックスカバーでマットレスを覆い、体圧分散を損なうことなく快適に四季を通して使用できるようにする為に、旭化成のフュージョンと小松精練のマーヴァスを組み合わせて、ボックスカバーを創り、天然ゴム素材のマットレスに此れを掛け四季を通して快適に使用出来るマットレス、スーパードリームを創りました。
【背景技術】
【０００２】最初は厚手のタオルシーツをボックスシーツでなく掛けカバー式から手がけ、私は別会社で介護保険による福祉用具のレンタル業を営んでおります関係上色々な生地で掛けカバー・ボックスシーツを創り、大勢の方に使用して貰い、又飼い猫を使ったり、従業員の作業者・乗用車の座席シート等色々な所で体験を重ね、ケープのＣＲ−２７０の体圧分散測定器で体圧分散を計る等、体圧分散・耐久性・クッション性など考えながら、試行錯誤を繰り返しながら、現在の旭化成のフュージョンＮｏ．６４４５５で先ず体から出る熱と水分を吸収し、２枚合わせの下の部分のフュージョンＮｏ．６４０３０で吸収した熱・水分を外に排出し、側面の小松精練マーヴァスＮｏ．ＭＷ２４７５で外に排出することに成功し、天然ゴムマットレスの対圧分散とフュージョンの体圧分散とでより理想的なマットレス、スーパードリームを創り、床ずれ防止用マットレス・一般マットレスとしても四季を通して、快適に使用出来るマットレス、ーパードリームを作りました。
【図面の簡単な説明】
【０００３】
【図１】
0003131300.tif 000005図面１は、天然素材のマットレスにボックスカバーを掛けた図面でボックスカバーの上面は、フュージョンＮｏ．６４４５５とＮｏ．６４０３０ｉ２枚重ねを使い、側面と下面はマーヴァスＮｏ．Ｍｗ２４７５創り、マットレスの挿入口はチャックで開閉して、マットレスとボックスカバーとが離れない様に仕上げた図です。【図２】
0003131300.tif 000006図面２は、天然ゴム素材のマットレスにボックスカバーを掛けた図面ですが、ボックスカバーの上面の表には肌に優しくクッション性・弾力性・耐久性ノアルフュージョンＮｏ．６４４５を使用して人体の体から出る熱・水分を吸収し、更に吸収した熱・水分を、通気性・弾力性抜群で形態安定のフュージョンＮｏ．６４０３０で外に排出し、側面の吸水性・速乾性・汚れ防止・静電気防止の小松精練のマーヴァスＮｏ．ＭＷ２４７５でこれらの熱・水分を外に排出し、ムレて敬遠されていたマットレスから、天然マットレスの対圧分散にフュージョンの体圧分散で天然ゴム素材のマットレスより床ずれ防止をより効果的な素晴らしい、快適なマットレス、スーパードリームを完成した。【図３】フュージョンは、二枚の編地間を弾力のある糸でつないだクッション性に優れた立体編み物です。筋違い構造をあわせ持つことで、形態安定性にも優れます。
0003131300.tif 000007
【手続補正書】
【提出日】平成19年2月22日(2007.2.22)
【手続補正１】
【補正対象書類名】実用新案登録請求の範囲
【補正対象項目名】全文
【補正方法】変更
【補正の内容】
【実用新案登録請求の範囲】
【請求項１】
天然ゴム素材のマットレスにかけるカバーであって、マットレスを包み込むボックス形をなすボックスカバー。
【請求項２】
ボックスカバーの上面に、優れたクッション性と通気性抜群でムレにくい２枚の立体編物を二重に合わせて体圧分散効果と耐久性を高める素材を用いた請求項１記載のボックスカバー。
【請求項３】
ボックスカバーの側面と下面に耐久吸水性能を持つ素材を使い、ボックスカバーの側面にチャックを設け、該チャックで開閉部分を閉じ、マットレスをしっかりガードして、好みにより両面使用できるようにした請求項１又は２記載のボックスカバー。
【手続補正２】
【補正対象書類名】明細書
【補正対象項目名】全文
【補正方法】変更
【補正の内容】
【考案の詳細な説明】
【技術分野】
【０００１】
本考案は、マットレスのカバーに関する。
【背景技術】
【０００２】
天然ゴム素材のマットレスは、マットレスを防水性・透湿性のフィルムで被覆して作られているので、冬場の寒い時期は体圧分散と耐久性に優れているので、大変重宝される。
【考案の開示】
【考案が解決しようとする課題】
【０００３】
しかし、４月頃から１０月頃までは、同マットレスに通気性がない為に、ムレがひどく、利用者から見放されてきた。そこで、本考案に係るボックスカバーを作り、四季を通して利用できるようにした。
【課題を解決するための手段】
【０００４】
天然ゴム素材のマットレスが折角良い品物でありながら使用されないので、４年前から最初は綿シーツをかけることから始まり、色々材料を変えて色々な方法で試行錯誤し模索し、今のボックスカバーを完成した。
【０００５】
すなわち、本考案に係るボックスカバーは、天然ゴム素材のマットレスにかけるカバーであって、マットレスを包み込むボックス形をなすものである。
【０００６】
ボックスカバーの上面に、優れたクッション性と通気性抜群でムレにくい２枚の立体編物を二重に合わせて体圧分散効果と耐久性を高める素材を用いることができる。この二重に合わせる２枚の立体編物としては、旭化成株式会社の商品名「フュージョン」製品Ｎｏ．ＡＫＥ６４４５５と、同社の商品名「フュージョン」製品Ｎｏ．ＡＫＥ６４０３０を挙げることができる。この商品「フュージョン」は、周知のとおり、２枚の編地間を弾力のある糸でつないだクッション性と通気性に優れた立体編物（三次元編物）であり、筋違構造をあわせ持つことで、形態安定性にも優れるものである。
【０００７】
ボックスカバーの側面と下面に耐久吸水性能を持つ素材を使い、ボックスカバーの側面にチャックを設け、該チャックで開閉部分を閉じ、マットをしっかりガードして、好みにより両面使用できるようにすることができる。この側面と下面の素材としては、小松精練株式会社の商品名「マーバス」を挙げることができる。この商品名「マーバス」は、周知のとおり、優れた耐久吸水性能（吸汗性）と耐久制電性能とを持つポリエステル改質加工生地である。
【０００８】
優れたクッション性と通気性抜群でムレにくい２枚の立体編物を二重に合わせて体圧分散効果と耐久性を高め、従来の天然ゴム素材マットレスだけの使用時のムレを解消することができる。また、天然ゴム素材のマットレスによる体圧分散とクッション性に優れたボックスカバーによる体圧分散とにより、より体圧分散の効果を高めることができ、天然ゴム素材のマットレスが四季を通して利用できるようになった。
【考案の効果】
【０００９】
本考案に係るボックスカバーによれば、使用時のムレを解消できるとともに体圧分散の効果を高めることができ、天然ゴム素材のマットレスが四季を通して利用できるようになる。
【考案を実施するための最良の形態】
【００１０】
図１及び図２は、天然ゴム素材のマットレスとそれにかけたカバーを示している。同カバーは、マットレスを包み込むボックス形をなし、その寸法を例示すると長さ１９１ｃｍ、幅９１ｃｍ、厚さ（高さ）８ｃｍである。
【００１１】
ボックスカバーの上面に、優れたクッション性と通気性抜群でムレにくい立体編物である、旭化成株式会社の商品名「フュージョン」製品Ｎｏ．ＡＫＥ６４４５５と、同社の商品名「フュージョン」製品Ｎｏ．ＡＫＥ６４０３０とを二重に合わせて体圧分散効果と耐久性を高めた素材を用いる。
【００１２】
ボックスカバーの側面と下面に、耐久吸水性能を持つ小松精練株式会社の商品名「マーバス」を使い、ボックスカバーの側面にチャックを設け、該チャックで開閉部分を閉じ、マットレスをしっかりガードして、好みにより両面使用できるようにすることができる。
【図面の簡単な説明】
【００１３】
【図１】マットレスに本考案の実施例に係るボックスカバーをかけた状態の斜視図である。
【図２】同ボックスカバーの一部を開いて同マットレスの一部を見せる斜視図である。